(57)【要約】      （修正有）【課題】折り畳み可能なブラケットを開いたら、便器椅子を形成することができ、蹲る姿勢で用便することが不便なユーザが座る姿勢で用便することができる折り畳み可能な便器椅子を提供する。【解決手段】クッション１と、折り畳み可能なブラケット３とを備える折り畳み可能な便器椅子であって、クッションが折り畳み可能なブラケットの上方に設けられ、クッションに、座って用便するための洋式便器孔２が開けられている。【選択図】図１
0003224239.tif 000002
【実用新案登録請求の範囲】
【請求項１】
クッション１と、折り畳み可能なブラケット３とを備え、前記クッション１が前記折り畳み可能なブラケット３の上方に設けられ、
前記クッション１に、座って用便するための洋式便器孔２が開けられていることを特徴とする、折り畳み可能な便器椅子。
【請求項２】
前記クッション１が折り畳み可能な材料を用いることを特徴とする、請求項１に記載の折り畳み可能な便器椅子。
【請求項３】
前記折り畳み可能なブラケット３が支持ロッド３１と、支持ロッド接続座３２とを備え、
各前記支持ロッド接続座３２に、２つの前記支持ロッド３１が移動可能に接続されており、
各前記支持ロッド３１に、それぞれの前記支持ロッドと移動自在に接続され、唯一に交差して設けられる別の支持ロッド３１があり、各前記支持ロッド３１の両端に全て前記支持ロッド接続座３２が接続されており、閉ループ状構造が形成されることを特徴とする、請求項１に記載の折り畳み可能な便器椅子。
【請求項４】
前記支持ロッド接続座３２が摩耗しにくい滑り止め材料で製造されることを特徴とする、請求項３に記載の折り畳み可能な便器椅子。
【請求項５】
前記支持ロッド３１がステンレス材料で製造されることを特徴とする、請求項３に記載の折り畳み可能な便器椅子。
【請求項６】
前記支持ロッド接続座３２の底面が水平に設けられることを特徴とする、請求項３に記載の折り畳み可能な便器椅子。
【請求項７】
前記クッション１がボルト４を介して上方に位置する前記支持ロッド接続座３２に固定設置され、
上方に位置する前記支持ロッド接続座３２に前記ボルト４に対応するねじ穴が設けられており、
前記クッション１に、前記ねじ穴に対応して設けられる小孔が設けられていることを特徴とする、請求項３に記載の折り畳み可能な便器椅子。
【請求項８】
前記ボルト４の先端が円やかな形状に設けられることを特徴とする、請求項７に記載の折り畳み可能な便器椅子。
【請求項９】
前記支持ロッド３１と支持ロッド接続座３２との間、及び互いに交差して設けられる支持ロッド３１間に、全てピン３３によって互いに接続されることを特徴とする、請求項３に記載の折り畳み可能な便器椅子。
【請求項１０】
前記折り畳み可能なブラケット３の上部と下部に、それぞれ４つの前記支持ロッド接続座３２が対応して設けられ、前記クッション１が正方形に設けられることを特徴とする、請求項３に記載の折り畳み可能な便器椅子。
【考案の詳細な説明】
【技術分野】
【０００１】
本考案は、生活用具分野に関し、具体的には、折り畳み可能な便器椅子に関する。
【背景技術】
【０００２】
全国の大中都市では、公共の場所のトイレには、一般的に、和式便器しか取り付けられていないが、家庭には通常、洋式便器が用いられている。しかし、人によって要求が異なることに対して、普通の人は２種類の方式を用いることができ、あまり影響されていない。お年寄りや和式便器を用いることが困難である人たちのような特別の群体では、洋式便器を用いなければならない。一般的な公共の場所のトイレにおける便器が１種類のみであり、外遊、特に野外でのキャンプ等の場合、対応する洋式便器がなく、ある特別な人にとって極めて不便になる。
【０００３】
従来技術にはいくつかの携帯型洋式便器もあったが、このような洋式便器は軽い材料で製造されたものに過ぎず、依然として大きな空間を占めており、非常に収納しにくい。よって、この背景のもと、座って使用できる新型便器用具が強く要望されている。
【０００４】
関連技術に存在する多くの技術的課題については、現在、効果的な解決手段が提案されていない。
【考案の概要】
【考案が解決しようとする課題】
【０００５】
本考案の主な目的は、関連技術に存在する少なくとも１つの技術的課題を解決するために、折り畳み可能な便器椅子を提供することである。
【課題を解決するための手段】
【０００６】
上記目的を実現するために、本考案の一つの態様によれば、折り畳み可能な便器椅子を提供する。
【０００７】
クッションと、折り畳み可能なブラケットとを備える折り畳み可能な便器椅子であって、
前記クッションが前記折り畳み可能なブラケットの上方に設けられ、
前記クッションに座って用便するための洋式便器孔が開けられていることを特徴とする、折り畳み可能な便器椅子。
【０００８】
さらに、前記クッションが折り畳み可能な材料を用いることを特徴とする、前記折り畳み可能な便器椅子。
【０００９】
さらに、前記折り畳み可能なブラケットが支持ロッドと、支持ロッド接続座とを備え、
各前記支持ロッド接続座に、２つの前記支持ロッドが移動可能に接続されており、
各前記支持ロッドに、それぞれの前記支持ロッドと移動自在に接続され、唯一に交差して設けられる別の支持ロッドがあり、各前記支持ロッドの両端に全て前記支持ロッド接続座が接続されており、閉ループ状構造が形成されることを特徴とする、前記折り畳み可能な便器椅子。
【００１０】
さらに、前記支持ロッド接続座が摩耗しにくい滑り止め材料で製造されることを特徴とする、前記折り畳み可能な便器椅子。
【００１１】
さらに、前記支持ロッドがステンレス材料で製造されることを特徴とする、前記折り畳み可能な便器椅子。
【００１２】
さらに、前記支持ロッド接続座の底面が水平に設けられることを特徴とする、前記折り畳み可能な便器椅子。
【００１３】
さらに、前記クッションがボルトを介して上方に位置する前記支持ロッド接続座に固定設置され、
上方に位置する前記支持ロッド接続座に前記ボルトに対応するねじ穴が設けられており、
前記クッションに、前記ねじ穴に対応して設けられる小孔が設けられていることを特徴とする、前記折り畳み可能な便器椅子。
【００１４】
さらに、前記ボルトの先端が円やかな形状に設けられることを特徴とする、前記折り畳み可能な便器椅子。
【００１５】
さらに、前記支持ロッドと支持ロッド接続座との間、及び互いに交差して設けられる支持ロッド間に、全てピンによって互いに接続されることを特徴とする、前記折り畳み可能な便器椅子。
【００１６】
さらに、前記折り畳み可能なブラケットの上部と下部に、それぞれ４つの前記支持ロッド接続座が対応して設けられ、前記クッションが正方形に設けられることを特徴とする、前記折り畳み可能な便器椅子。
【考案の効果】
【００１７】
本考案に係る実施の態様において、クッションと、折り畳み可能なブラケットとを備える折り畳み可能な便器椅子であって、前記クッションが前記折り畳み可能なブラケットの上方に設けられ、前記クッションに座って用便するための洋式便器孔が開けられている折り畳み可能な便器椅子を提供する。前記折り畳み可能なブラケットを開いたら、便器椅子を形成することができるという目的を達成し、特定の状況において、あるユーザが蹲る姿勢で用便することが不便である場合、本考案に係る折り畳み可能な便器椅子を用いることにより座る姿勢で用便することができるという技術効果を実現した。
【図面の簡単な説明】
【００１８】
【図１】図１は本考案の一実施の態様による折り畳み可能な便器椅子の正面図である。
【考案を実施するための形態】
【００１９】
本考案の一部とする添付図面は本考案をより一層理解するために提供されるものであることで、本考案の他の特徴、目的及びメリットがより明らかになる。本考案の実施の態様の添付図面及びその説明は本考案を説明するためのものであり、本考案を不適当に限定するものではない。
【００２０】
当業者が本考案をよりよく理解するために、以下に本考案に係る実施の態様中の添付図面を参照しながら、本考案に係る実施の態様中の技術方案を明確で完全に説明する。説明される実施の態様は本考案の全部の実施の態様ではなく、一部のものに過ぎないことが明らかである。本考案に係る実施の態様に基づき、当業者が創造的労働をすることなく得られた全ての他の実施の態様は、何れも本考案の保護の範囲に属すべきものである。
【００２１】
なお、本考案の明細書、特許請求の範囲及び上記添付図面中の用語「第１」、「第２」等は類似の対象を区分するためのものであり、所定の順番又は優先順位を説明するためのものではよい。なお、本考案の実施の態様の説明の便宜上、このように用いられるデータは適切な場合において互いに置き換えられてもよい。なお、用語「含む」と「有する」及びそれらのいかなる変形は、非排他的包含をカバーすることを意図する。例えば、一連のステップ又はユニットを含む過程、方法、システム、製品又は設備は、明記するそれらのステップ又はユニットに制限される必要がなく、明記していないもの、又はこれらの過程、方法、製品又は設備に対する固有の他のステップ又はユニットを備えてもよい。
【００２２】
本考案において、用語「上」、「下」、「左」、「右」、「前」、「後」、「トップ」、「ボトム」、「内」、「外」、「中」、「垂直」、「水平」、「横方向」、「縦方向」等によって示される方位又は位置関係は、添付図面に示す方位又は位置関係に基づくものである。これらの用語は主として本考案及びその実施の態様をよりよく説明するためのものであり、示される装置、素子又は組成部分が特定の方位を有したり、又は特定の方位で構成及び操作を行ったりしなければならないことを限定するためのものではない。
【００２３】
そして、上記一部の用語は、方位又は位置関係を示すことに用いられる他に、他の意味を示すことに用いられる可能性がある。例えば用語「上」は、ある場合に何らかの従属関係又は接続関係を示すことに用いられる可能性もある。当業者にとって、具体的状況に応じてこれらの用語の本考案における具体的意味を理解することができる。
【００２４】
なお、用語「取り付ける」、「設けられる」、「設けられている」、「接続される」、「連結される」、「嵌設される」は広義で理解されるべきものである。例えば、固定接続されてもよく、脱着可能に接続されてもよく、又は全体的に構成されてもよい。機械的に接続されてもよく、又は電気的に接続されてもよい。直接的に接続されてもよく、又は中間媒体を介して間接的に接続されてもよく、又は２つの装置、素子又は組成部分間の内部の連通であってもよい。当業者にとって、具体的状況に応じて前記用語の本考案における具体的意味を理解することができる。
【００２５】
なお、矛盾しない場合、本考案に係る実施の態様及び実施の態様における特徴は互いに組合せられることが可能である。以下に添付図面を参照し、実施の態様に基づき本考案を詳述する。
【００２６】
図１に示すように、本考案の一つの実施の態様によれば、折り畳み可能な便器椅子を提供する。
【００２７】
本考案の折り畳み可能な便器椅子は、
クッション１と、折り畳み可能なブラケット３とを備え、
前記クッション１が前記折り畳み可能なブラケット３の上方に設けられ、
前記クッション１に、座って用便するための洋式便器孔２が開けられている。
【００２８】
前記折り畳み可能なブラケットを開いたら、便器椅子を形成することができるという目的を達成し、特定の状況において、あるユーザが蹲る姿勢で用便することが不便である場合、本考案に係る折り畳み可能な便器椅子を用いることにより座る姿勢で用便することができるという技術効果を実現した。
【００２９】
ある実施の態様において、前記折り畳み可能な便器椅子は、前記クッション１が折り畳み可能な材料を用いる。
【００３０】
好ましくは、前記クッション１は、高強度を有する布、革又は人造革等の柔らかくて複数回折り畳み可能な材料で製造されることが可能である。
【００３１】
ある実施の態様において、前記折り畳み可能な便器椅子は、前記折り畳み可能なブラケット３が支持ロッド３１と、支持ロッド接続座３２とを備え、
各前記支持ロッド接続座３２に、２つの前記支持ロッド３１が移動可能に接続されており、
各前記支持ロッド３１に、それぞれの前記支持ロッドと移動自在に接続され、唯一に交差して設けられる別の支持ロッド３１があり、各前記支持ロッド３１の両端に全て前記支持ロッド接続座３２が接続されており、閉ループ状構造が形成される。
【００３２】
図１に示すように、即ち、使用しない場合、互いに交差して設けられる２つの支持ロッド３１を互いに垂直方向に回転させれば、支持ロッド３１間の角が小さくなり、さらに便器椅子全体をよりコンパクトな形状に収縮させることができる。さらに折り畳んで収納する目的を達成できる。
【００３３】
ある実施の態様において、前記折り畳み可能な便器椅子は、前記支持ロッド接続座３２が摩耗しにくい滑り止め材料で製造される。
【００３４】
具体的には、前記接続座３２が摩耗しにくい滑り止め材料で製造されることで、本考案に係る装置が使用時にスライドしにくく、トイレに行く場合に不測の事態が発生することを防ぐことができる。また、摩耗しにくい材料を用いることで、装置全体の使用寿命を大幅に向上することができる。好ましくは、前記支持ロッド接続座３２がゴム材料で製造される。
【００３５】
ある実施の態様において、前記折り畳み可能な便器椅子は、前記支持ロッド３１がステンレス材料で製造される。
【００３６】
好ましくは、前記支持ロッド３１がステンレス材料で製造されることで、支持強度を効果的に向上し、人が座った後、折れたりすること等の状況が起こるのを防ぐとともに、さびが出る等の使用寿命に影響する状況を効果的に防ぐことができる。好ましくは、さらに、表面に空気から遮断するためのペンキを塗ることができる。一般的に、前記支持ロッド３１が円管状に設けられ、厚さが２ｍｍ以上である。
【００３７】
ある実施の態様において、前記折り畳み可能な便器椅子は、前記支持ロッド接続座３２の底面が水平に設けられる。
【００３８】
具体的には、前記支持ロッド接続座３２の底面が水平に設けられることで、床面との接触面積を大きくし、さらに摩擦力を増やし、座って用便する場合の便器椅子の安定性を向上することができる。好ましくは、前記支持ロッド接続座３２の底面面積が１５ｃｍ２以上である。
【００３９】
ある実施の態様において、前記折り畳み可能な便器椅子は、前記クッション１がボルト４を介して上方に位置する前記支持ロッド接続座３２に固定設置され、
上方に位置する前記支持ロッド接続座３２に前記ボルト４に対応するねじ穴が設けられており、
前記クッション１に、前記ねじ穴に対応して設けられる小孔が設けられている。
【００４０】
好ましくは、前記クッション１が粘着剤を介して前記支持ロッド接続座３２の表面に粘着されてから、前記ボルト４が前記小孔を貫通し最後に前記支持ロッド接続座３２のねじ穴に固定され、前記クッション１を前記支持ロッド接続座３２に固定するという目的を達成することができる。
【００４１】
ある実施の態様において、前記折り畳み可能な便器椅子は、前記ボルト４の先端が円やかな形状に設けられる。
【００４２】
前記ボルト４の先端が円やかな形状に設けられることで、ユーザが用便する際にボルト４の鋭い周縁に傷つけられ、ユーザ体験に影響することを防止することができる。
【００４３】
ある実施の態様において、前記折り畳み可能な便器椅子は、前記支持ロッド３１と支持ロッド接続座３２との間、及び互いに交差して設けられる支持ロッド３１間に、全てピン３３によって互いに接続される。
【００４４】
一般的に、前記支持ロッド３１及び支持ロッド接続座３２に、全て前記ピン３３の形状に対応する円孔が設けられ、前記ピン３３が高強度のステンレス鋼を用いるので、その荷重能力を高め、使用寿命を向上することができる。
【００４５】
ある実施の態様において、前記折り畳み可能な便器椅子は、前記折り畳み可能なブラケット３の上部と下部に、それぞれ４つの前記支持ロッド接続座３２が対応して設けられ、前記クッション１が正方形に設けられる。
【００４６】
具体的には、４脚に設計されることで、座って用便する場合の安定性を向上し、転倒等の座って用便することに影響する状況が発生するのを防止できる。
【００４７】
上述したのは本考案の好ましい実施の態様に過ぎず、本考案を制限するためのものではない。当業者にとって、本考案は各種の変更及び変化を行ってもよい。本考案の趣旨及び原則に基づくいかなる変形、等価の置き換え、改良は、全て本考案の保護の範囲内に含まれるべきである。
【図１】
0003224239.tif 000003